(57)【要約】パラメータ検出器１０２、２０２、２１４は、少なくとも１つのテスト信号をディスプレイに送信し、ディスプレイの近傍の遠隔制御装置から少なくとも１つの検出されたディスプレイ・パラメータを受信する。コンテンツ・パラメータ解析器１０２、２０２、２１２は、ディスプレイに送信するコンテンツから少なくとも１つのコンテンツ・パラメータを取り出す。次いで、パラメータ比較器１０２、２０２、２１０は、検出されたディスプレイ・パラメータをコンテンツ・パラメータと比較して、コンテンツ・パラメータに基づいて、ただし検出されたディスプレイ・パラメータに従って、発信コンテンツ信号を調節する。パラメータ比較器は、コンテンツ・パラメータが検出されたディスプレイ・パラメータよりも大きいときに、少なくとも１つの提案されたディスプレイ・パラメータ調節を提供する。提案されたディスプレイ・パラメータは、映像信号および／または音声信号を用いて伝送することができる。
2013513129.tif 000002
【特許請求の範囲】
【請求項１】
少なくとも１つのテスト信号をディスプレイに送信し、前記ディスプレイの近傍の遠隔制御装置２０８から少なくとも１つの検出されたディスプレイ・パラメータを受信するパラメータ検出器２１４（１０２、２０２）と、
前記ディスプレイに送信するコンテンツから少なくとも１つのコンテンツ・パラメータを取り出すコンテンツ・パラメータ解析器２１２（１０２、２０２）と、
前記検出されたディスプレイ・パラメータと前記コンテンツ・パラメータを比較して、前記コンテンツ・パラメータに基づいて、ただし前記検出されたディスプレイ・パラメータに従って、発信コンテンツ信号を調節するパラメータ比較器２１０（１０２、２０２）と、
を備える、システム。
【請求項２】
前記パラメータ比較器が、前記コンテンツ・パラメータが前記検出されたディスプレイ・パラメータよりも大きいときに、少なくとも１つの提案されたディスプレイ・パラメータ調節を提供する、請求項１に記載のシステム。
【請求項３】
前記提案されたディスプレイ・パラメータ調節が、映像信号および音声信号の少なくとも一方として伝送される、請求項２に記載のシステム。
【請求項４】
前記パラメータ検出器が、ユーザの要求に応じて前記テスト信号を開始する、請求項１に記載のシステム。
【請求項５】
請求項１に記載のシステムを利用する、セット・トップ・ボックス。
【請求項６】
前記遠隔制御装置が、ディスプレイ画面のごく近傍に保たれる、請求項１に記載のシステム。
【請求項７】
前記パラメータ検出器が、前記遠隔制御装置と双方向通信を行う、請求項１に記載のシステム。
【請求項８】
前記パラメータ検出器が、促されたときに一連のテスト信号を自動的に開始する、請求項１に記載のシステム。
【請求項９】
前記パラメータ検出器が、後続のテスト信号を送信する前に、前記遠隔制御装置からのパラメータを検出したことを確認する、請求項８に記載のシステム。
【請求項１０】
前記テスト信号が、輝度レベル関連信号、黒レベル関連信号、色関連信号、シャープネス関連信号、インタレース解除関連信号、唇同期関連信号、および音声周波数範囲関連信号のうちの少なくとも１つを含む、請求項８に記載のシステム。
【請求項１１】
少なくとも１つのパラメータ・テスト信号をディスプレイに送信するステップ（３０４）と、
前記ディスプレイの近傍の遠隔制御装置から少なくとも１つの検出されたディスプレイ・パラメータを受信するステップ（３０４）と、
前記ディスプレイに送信するコンテンツから少なくとも１つのコンテンツ・パラメータを取り出すステップ（３０６）と、
前記検出されたディスプレイ・パラメータを前記コンテンツ・パラメータと比較するステップ（３０８）と、
前記コンテンツ・パラメータに基づいて、ただし前記検出されたディスプレイ・パラメータに従って、発信コンテンツ信号を調節するステップ（３０８）と、
を含む、方法。
【請求項１２】
前記コンテンツ・パラメータが前記検出されたディスプレイ・パラメータと両立しない場合に、少なくとも１つのディスプレイ・パラメータ調節を提案するステップ（３１０）をさらに含む、請求項１１に記載の方法。
【請求項１３】
提案されたディスプレイ・パラメータ調節を、映像信号および音声信号の少なくとも一方として伝送するステップをさらに含む、請求項１２に記載の方法。
【請求項１４】
ユーザの要求に応じて前記テスト信号を開始するステップをさらに含む、請求項１１に記載の方法。
【請求項１５】
請求項１１に記載の方法を利用する、セット・トップ・ボックス。
【請求項１６】
前記遠隔制御装置をディスプレイ画面のごく近傍に位置させるステップをさらに含む、請求項１１に記載の方法。
【請求項１７】
前記遠隔制御装置との双方向通信を用いてパラメータ情報を伝送するステップをさらに含む、請求項１１に記載の方法。
【請求項１８】
促されたときに一連のテスト信号を自動的に開始するステップをさらに含む、請求項１１に記載の方法。
【請求項１９】
後続のテスト信号を送信する前に、前記遠隔制御装置からのパラメータを検出したことを確認するステップをさらに含む、請求項１８に記載の方法。
【請求項２０】
輝度レベル関連信号、黒レベル関連信号、色関連信号、シャープネス関連信号、インタレース解除関連信号、唇同期関連信号、および音声周波数範囲関連信号のうちの少なくとも１つを含むテスト信号を伝送するステップをさらに含む、請求項１８に記載の方法。
【請求項２１】
少なくとも１つのパラメータ・テスト信号をディスプレイに送信する手段（１０２、２０２、２１４）と、
前記ディスプレイの近傍の遠隔制御装置から少なくとも１つの検出されたディスプレイ・パラメータを受信する手段（１０２、２０２、２１４）と、
前記ディスプレイに送信するコンテンツから少なくとも１つのコンテンツ・パラメータを取り出す手段（１０２、２０２、２１２）と、
前記検出されたディスプレイ・パラメータを前記コンテンツ・パラメータと比較する手段（１０２、２０２、２１０）と、
前記コンテンツ・パラメータに基づいて、ただし前記検出されたディスプレイ・パラメータに従って、発信コンテンツ信号を調節する手段（１０２、２０２、２１０）と、
を備える、システム。
【請求項２２】
請求項１に記載のシステムの、コンピュータ実行可能なコンポーネントを記憶した、コンピュータ可読媒体。
【発明の詳細な説明】
【技術分野】
【０００１】
本発明は、一般にホーム・シアターに関し、さらに詳細には、ホーム・シアターにおいてベスト・エフォート再生が体験できるようにコンテンツを自動的に較正するシステムおよび方法に関する。
【背景技術】
【０００２】
従来、映画監督や写真家は、画像をフィルムに収め、それらの画像を、色、フィルム・グレイン、コントラスト、ガンマなどが正確であって、意図した通りに画像が再現されているという認識の下、視聴者に提示する。これは、フィルムと、写真印刷媒体または投影用の銀幕とを選択することによって行われていた。しかし、家庭用シアター・システムの普及が進むにつれて、家庭用エンターテインメント・システムにおいてディスプレイも再生装置も数多くの様々なタイプが登場したことで、元々の制作者が当初見せようとしていた意図が失われる。従って、元々コンテンツに込められていた創造性は、家庭用の環境に変換されたときに失われてしまう。これを克服するために、様々なテスト・ディスクなどを使用して家庭用ディスプレイおよび家庭用再生装置を較正しようとする試みが、数多くなされている。このプロセスは、極めて冗長になる傾向があり、ほとんどの人は、一度は較正を行おうと試みるが、その後は、苛々する、あるいは時間がないなどの理由で、このプロセスを行わなくなってしまう。
【発明の開示】
【０００３】
芸術作品の正確な表示は、消費者のセット・トップ・ボックスなどの提示装置へのフィードバック経路で較正済みセンサを使用することによって再現される。較正済みセンサからの入力を使用して、提示装置は、その出力レベルを調節して、元々の作品を意図通りに再現することができる。一例では、内蔵された画像化要素およびマイクロフォンを、遠隔制御装置においてフィードバック機構として使用して、出力が元々のコンテンツ制作者が意図した通りの本当の正確な色を再現し、音声と映像の同期が最適化されるように映像／音声再生装置を較正する。
【０００４】
上記は、本発明の実施形態のいくつかの態様の基本的な理解が得られるように、本発明の簡単な概要を示したものである。この概要は、本発明の広範な概要ではない。この概要は、これらの実施形態の重要／不可欠な要素を特定する、または本発明の範囲の外延を示すものではない。単に、後述するさらに詳細な説明の前置きとして、本発明の一部の概念を簡略化した形態で示すためのものに過ぎない。
【０００５】
前述の目的および関連する目的を達成するために、本明細書では、以下の説明および添付の図面に関連して、実施形態の特定の例示的な態様について述べる。ただし、これらの態様は、本発明の原理を利用することができる様々な方法のうちのごく一部を示すものに過ぎず、本発明は、これら全ての態様およびその均等物を含むものである。本発明のその他の利点および新規の特性は、以下の詳細な説明を図面と関連付けて考慮すれば、明らかになるであろう。
【図面の簡単な説明】
【０００６】
【図１】一実施形態の１つの態様による自動コンテンツ較正システムのブロック図である。
【図２】一実施形態の１つの態様による自動コンテンツ較正システムの別のブロック図である。
【図３】一実施形態の１つの態様による自動的にコンテンツを較正する方法のフロー図である。
【図４】一実施形態の１つの態様による自動的にコンテンツを較正する方法の別のフロー図である。
【発明を実施するための形態】
【０００７】
次に、図面を参照しながら本発明について説明する。図面を通じて、同じ要素は同じ参照番号を用いて示している。以下の記述では、説明のために、本発明が完全に理解されるようにするために、数多くの具体的な詳細について述べる。しかし、これらの具体的な詳細を用いずに本発明の実施形態を実現することもできることは、明らかであろう。他の例では、実施形態の説明を容易にするために、周知の構造および装置はブロック図の形で示してある。
【０００８】
本願で使用する「コンポーネント」という用語は、ハードウェア、ソフトウェア、またはハードウェアと実行中のソフトウェアの組合せを指すものである。例えば、コンポーネントは、プロセッサ上で動作するプロセス、プロセッサ、オブジェクト、実行ファイル（ｅｘｅｃｕｔａｂｌｅ）および／またはマイクロチップなどとすることができる（ただしこれらに限定されない）。例えば、プロセッサ上で動作するアプリケーションと当該プロセッサの両方で１つのコンポーネントであってもよい。１つのプロセス内に１つまたは複数のコンポーネントが存在していてもよいし、１つのコンポーネントが、１つのシステム上に位置し、且つ／または２つ以上のシステム間に分散していてもよい。図面に示す様々なコンポーネントの機能は、専用のハードウェアを使用して実現することもできるし、ソフトウェアを実行可能なハードウェアを適当なソフトウェアと関連付けて使用することによって実現することもできる。
【０００９】
これらの機能をプロセッサによって実現する場合には、単一の専用プロセッサで実現することも、単一の共用プロセッサで実現することも、あるいはその一部を共用することもできる複数の個別プロセッサで実現することもできる。さらに、「プロセッサ」または「制御装置」という用語を明示的に用いていても、ソフトウェアを実行することができるハードウェアのみを指していると解釈すべきではなく、ディジタル信号プロセッサ（「ＤＳＰ」）ハードウェア、ソフトウェアを記憶するための読取り専用メモリ（「ＲＯＭ」）、ランダム・アクセス・メモリ（「ＲＡＭ」）および不揮発性記憶装置を暗に含むことがある（ただしこれらに限定されない）。さらに、本発明の例および実施形態について本明細書で述べる全ての記述は、構造的均等物および機能的均等物の両方を含むものとする。さらに、これらの均等物には、現在既知の均等物だけでなく、将来開発されるであろう均等物（すなわち、構造に関わらず、同じ機能を実行する開発される任意の要素）も含まれるものとする。
【００１０】
提示装置またはその他の装置は、以下を利用して、較正済みコンテンツをディスプレイに供給する。センサを備える遠隔制御装置は、ディスプレイに送られたテスト信号にフィードバックを供給するために使用される。次いで、このフィードバックは、較正されるコンテンツに関連付けられたパラメータと比較される。次いで、上記コンテンツは、上記フィードバック・パラメータの範囲内で較正される。上記フィードバック・パラメータによって最適な較正ができない場合には、上記フィードバック・パラメータによって規定されるベスト・エフォート・プロセスを用いてコンテンツが較正される。この場合には、ディスプレイのパラメータ変更をユーザに送信して、ユーザが特定のディスプレイ・パラメータなどを変更すれば、さらに最適な較正を実行することができることを示すことができる。
【００１１】
図１は、自動コンテンツ較正器１０２を有する自動コンテンツ較正システム１００を示す。自動コンテンツ較正器１０２は、提示装置（例えばセット・トップ・ボックスやテレビなど）内に存在し、且つ／または遠隔位置に存在することができる。自動コンテンツ較正器１０２のコンポーネントは、位置に関しても機能に関しても、一体化または統合することができる。自動コンテンツ較正器１０２は、コンテンツ１０４を受信し、コンテンツ１０４のパラメータを、遠隔制御装置１０８を介して受信したディスプレイ１０６からのパラメータと比較する。コンテンツ１０４は、映像コンテンツおよび／または音声コンテンツなどを含むことができる（ただしこれらに限定されない）。コンテンツのソースは、例えば、データ・ストリーム、コンパクト・ディスク（ＣＤ）、ディジタル多用途ディスク（ＤＶＤ）、携帯型メモリ装置、ハード・ドライブ、コンピュータおよび／または空中伝送などから得ることができる。
【００１２】
ディスプレイ１０６は、ユーザが「コンテンツ１０４を体験する」ことを可能にする再生システムを表している。従って、ディスプレイ１０６は、映像再生装置および音声再生装置を含むことができる。ディスプレイ１０６で表される一部の機器は、一体化音声映像装置および統合音声映像装置（ただしこれらに限定されない）を含むこともできる。製造業者によっては、所有権を主張できるインタフェース・リンクによってリンクすることができ、且つ業界標準のインタフェース（例えばＨＤＭＩなど）を使用する独立製造業者製のシステムも含むコンポーネント・システムを構築している。遠隔制御装置１０８は、ディスプレイ、テレビジョン、音声機器、セット・トップ・ボックスなどを制御するリモート・コントロールを含むことができる（ただしこれに限定されない）。遠隔制御装置１０８は、自動コンテンツ較正器１０２のパラメータを供給する機能しかない専用のリモート・コントロールであってもよい。また、遠隔制御装置１０８は、単純な押しボタン式リモート・コントロール、ならびに／あるいはディスプレイおよび／または音声コマンド認識などを備えた高機能ホーム・シアター用リモート・コントロールであってもよいことは理解されるであろう。
【００１３】
自動コンテンツ較正器１０２は、コンテンツ１０４のパラメータを、コンテンツ１０４から直接的に、且つ／あるいはユーザ入力を介して間接的に、且つ／またはコンテンツ１０４自体などを解析することによって、取り出すことができる。一部のコンテンツ１０４は、視聴体験が可能な限りオリジナルに近くなるような、元々の制作者が望む最適なパラメータ設定を含む。これは、コンテンツ１０４のヘッダ情報として含めることもできるし、且つ／またはコンテンツを移送するために使用される媒体に別個のファイルとして記憶することもできる（例えばＤＶＤディスクに記憶する、またはデータ・ストリームでプレビュー情報として送信する、など）。自動コンテンツ較正器１０２は、コンテンツのジャンルおよび／またはコンテンツの作成技術に基づくパラメータ設定を使用することもできる（例えば、スポーツのコンテンツは、「鮮明視聴（ｖｉｖｉｄ  ｖｉｅｗｉｎｇ）」のパラメータ・セットを有し、漫画／アニメーションのコンテンツは、アニメーションの色性能を最大化するパラメータ・セットを有し、映画ベースのコンテンツは、映画館のような体験を最大化するパラメータ・セットを有する、など）。自動コンテンツ較正器１０２は、デフォルトのパラメータ・セットを使用することもできる。これは、ユーザのそれまでの好み、および／または再生機器を使用する既知の環境（例えば、照明が薄暗い、照明が明るい、背面映写テレビである、直視型ディスプレイである、など）に基づいて行うことができる。
【００１４】
自動コンテンツ較正器１０２は、コンテンツ・パラメータと検出したディスプレイ・パラメータとを使用して、ディスプレイ１０６へのコンテンツ出力信号を調節する。調節は、コンテンツ１０４からの所望のパラメータ設定、およびディスプレイ１０６のテスト後の遠隔制御装置１０８からの許容されるパラメータ設定に基づいて行われる。ディスプレイ１０６は、ディスプレイ１０６および関連機器に信号を送信することによってテストされ、結果は、遠隔制御装置１０８によって検出される。自動コンテンツ較正器１０２は、必ずしもディスプレイ１０６に対する直接制御権を有するとは限らないので、自動コンテンツ較正器１０２は、コンテンツ１０４からの所望のパラメータを、それらが最適化されるまで、ただしディスプレイ１０６の検出されたパラメータの範囲内で、調節する。所望のパラメータが検出されたパラメータを超える場合には、自動コンテンツ較正器１０２は、提示されたパラメータ変更を、ディスプレイ１０６、遠隔制御装置１０８および／またはその他の利用可能な任意の手段（例えば移動装置、コンピュータなど）に送信することができる。提示されたパラメータ変更は、視覚的解釈および／または聴覚的解釈に関して送信することができ、視覚パラメータ変更および／または音声パラメータ変更などを含むことができる（ただしこれらに限定されない）。
【００１５】
図２を参照するに、自動コンテンツ較正器２０２を有する自動コンテンツ較正システム２００が示される。自動コンテンツ較正器２０２は、コンテンツ２０４を受信し、コンテンツ２０４のパラメータを、遠隔制御装置２０８を介して受信したディスプレイ２０６からのパラメータと比較する。この例では、自動コンテンツ較正器２０２は、コンテンツ・パラメータ解析器２１２を使用して、コンテンツ・パラメータを決定し、パラメータ検出器２１４を使用して、ディスプレイ２０６のパラメータを検出し、パラメータ比較器２１０を使用して、コンテンツのパラメータまたは所望のパラメータを検出したディスプレイ・パラメータと比較する。自動コンテンツ較正器２０２のコンポーネントの相互作用の理解を容易にするために、表示発生器２１６および音声発生器２１８が示してあるが、これらは、この例を実施する上では必要ない。
【００１６】
コンテンツ・パラメータ解析器２１２は、コンテンツ２０４について望ましいコンテンツ・パラメータを決定する。上述したように、コンテンツ・パラメータは、コンテンツ２０４から直接的に、且つ／または間接的に取得することができる。従って、コンテンツ・パラメータ解析器２１２は、コンテンツ２０４の簡単なデフォルトのパラメータ設定を採用する、且つ／またはコンテンツ２０４のジャンルなどに基づくデフォルトのパラメータ設定を基本とすることができる。コンテンツ・パラメータ解析器２１２は、高機能化することもでき、コンテンツ２０４のセグメントに対するテストを実行して、正しいパラメータ設定を決定することもできる。コンテンツ・パラメータ解析器２１２は、コンテンツ・ヘッダ情報、視聴前に送信される事前情報および／または関連ファイルとして記憶される情報などを通して、コンテンツ２０４から直接設定を取得することもできる。解析および／またはデフォルトによって決定されたら、コンテンツ・パラメータ解析器２１２は、これらの所望のパラメータをパラメータ比較器２１０に送信する。
【００１７】
パラメータ検出器２１４は、ディスプレイ２０６に関連するパラメータの範囲および設定を検出する。これは、ディスプレイ２０６にテスト・パターン信号および／またはテスト音声信号などを送信することによって実施することができる。この例では、パラメータ検出器２１４は、表示発生器２１６および／または音声発生器２１８を介して信号を送信する。そこから、ディスプレイ２０６および／または関連機器（例えばステレオ・システムなど）に信号が送信される。テスト信号の例のさらなる詳細を、以下に与える（図４などを参照）。遠隔制御装置２０８は、パラメータ検出器２１４から送信されるテスト信号を検出することができるセンサを有する。遠隔制御装置２０８は、通常、ディスプレイ２０６のテスト中には、ディスプレイ２０６の近傍に配置される。遠隔制御装置２０８内の光センサが、視覚的テスト・パターンを解釈し、且つ／または遠隔制御装置２０８内のマイクロフォンなどが、聴覚的テスト・パターンを解釈する。遠隔制御装置２０８は、必ずしも両方のタイプのセンサを有していなければならないわけではなく、また、その他のタイプのセンサを有していてもよい。遠隔制御装置２０８内のセンサの感度が様々であることにより、光の少ない条件下などで使用される装置でも極端に近づける必要がない実施態様が可能になる可能性がある。
【００１８】
一例では、パラメータ検出器２１４および遠隔制御装置２０８は、１方向通信を行う。しかし、他の例では、遠隔制御装置２０８およびパラメータ検出器２１４は、双方向通信を行う。双方向通信により、検出されたパラメータを遠隔制御装置２０８からパラメータ検出器２１４に送信することが可能になるだけでなく、パラメータ検出器２１４が、情報を受信したことをアクノリッジし、テストが完了したことなどを遠隔制御装置２０８に通知し、次のテストなどに備えることが可能になる。パラメータ検出器２１４は、短時間（例えば数秒）で自動的にテストを実行することができるので、このプロセスは、テストを受信し、検出されたパラメータが合格したときに、遠隔制御装置２０８にアクノリッジさせることによって、さらに高速化することができる。遠隔制御装置２０８が、次が何のテストであるかなどについてアプリオリな知識を有している（例えば、さらに良好に準備することができる、または光センサから音声センサに切り替えるなど、別のセンサに切り替えることができる）場合にも、速さおよび精度を高めることができる。パラメータ検出器２１４は、検出されたパラメータを受信したら、この検出されたパラメータを、パラメータ比較器２１０に送ることができる。パラメータ検出器２１４は、全てのテストが完了するまで待機した後で、検出されたパラメータをパラメータ比較器２１０に送ることもできる。パラメータ検出器２１４は、較正テストを開始して、遠隔制御装置２０８をテスト・モードにすることもできる。
【００１９】
パラメータ比較器２１０は、コンテンツ・パラメータ解析器２１２からの所望のパラメータを、パラメータ検出器２１４からの検出されたパラメータと比較する。パラメータ比較器２１０は、所望のパラメータが、ディスプレイ２０６および関連機器（例えば音声機器）の検出された性能の範囲内であるかどうかを調べる。例えば、コンテンツ２０４の所望の輝度レベルがディスプレイ２０６の輝度クリッピング・レベルより高い場合には、パラメータ比較器２１０は、所望の輝度レベルを低下させて、ディスプレイ２０６の低い性能に適合するようにする。同様に、検出されたパラメータが、ディスプレイ２０６においてインタレース解除が行われていることを示す場合には、パラメータ比較器２１０は、所望のインタレース解除パラメータをＯＦＦに設定して、コンテンツ２０４の２重のインタレース解除（例えば提示装置によるインタレース解除の後で、ディスプレイで再度信号がインタレース解除される）を回避する。パラメータ比較器２１０は、２重の鮮鋭化処理と他の２重のプロセスの適用を回避することもできる。ここでのプロセスはコンテンツを改善するためのものであるがコンテンツに２回以上適用されるようには意図されていないプロセスである。同様に、インタレース解除がディスプレイ２０６で実施されていないことが検出された場合には、コンテンツ信号をディスプレイ２０６に送信する前に、追加のインタレース解除プロセスを適用することもできる。この例では、パラメータ比較器２１０は、表示発生器２１６および音声発生器２１８を介してコンテンツの出力信号を調節することによって、ディスプレイ２０６に対するコンテンツ出力信号を制御する。
【００２０】
予想されるであろうが、特に何百万ドルもする機器を用いて作成されたコンテンツの場合には、ユーザの家庭の機器が、元々の作者が意図した通りにコンテンツを正確に再現することができないこともある。しかし、ユーザが、何を変更すればよいかを知ってさえいれば、視聴体験の忠実性を高める助けとなる調節を自分の機器に対して行うことができる可能性もある。このような場合には、パラメータ比較器２１０は、視聴者に対して、彼らの視聴体験をさらに向上させるための提案を与えることができる。例えば、所望の黒レベルがディスプレイの検出された黒レベルより高い場合には、パラメータ比較器２１０は、再生性能を高くするには、彼らのディスプレイの黒レベルを上げればよいという提案を、視聴者に対して送信することができる。これにより、ほとんどのパラメータが相互に絡み合っている（１つのパラメータを調節すると通常は別の１つまたは複数のパラメータに影響が及ぶ。）ので、ユーザ側から見たプロセスは大幅に簡略化される。従って、この提案は、黒レベルを上げ、そしてその後で較正プロセスを再実行するものとすることができ、この場合、パラメータ比較器２１０は、関係するパラメータを変更して、ユーザとそれ以上対話することなく、再生性能レベルをさらに高めることができる。
【００２１】
上記に示し、説明した例示的なシステムに鑑みて、実施形態に従って実施することができる方法は、図３から図４のフロー図を参照すればよりよく理解されるであろう。説明をわかりやすくするために、これらの方法を一連のブロックとして示し、説明するが、これらの実施形態は、当該のブロックの順序に限定されるわけではなく、実施形態に従って、一部のブロックが本明細書に示し、説明する順序とは異なる順序で起こる、且つ／または他のブロックと同時に起こってもよいことを理解および認識されたい。さらに、実施形態による方法を実施するために、図示した全てのブロックが必ずしも必要であるわけでもない。
【００２２】
図３を見ると、一実施形態の１つの態様による自動的にコンテンツを較正する方法３００のフロー図が示してある。この方法は、ステップ３０２で開始され、ステップ３０４で遠隔制御装置を使用してパラメータの範囲および／または状態を検出する。１方向通信手段および／または双方向通信手段を使用して、遠隔制御装置と通信することができる。ほとんどのディスプレイおよび／または音声装置は、再生能力に限界がある。パラメータの有効な範囲および／または状態（例えばＯＮまたはＯＦＦ、高いまたは低いなど）を検出することにより、所与の再生装置の組合せでより最適な性能が実現できるようにコンテンツを調節することができる。次いで、ステップ３０６で所望の自動調節を決定する。再生しようとするコンテンツは、望ましいパラメータを決定するために解析することができる。コンテンツによっては、直接使用することができる情報を含むが、コンテンツによっては、最良のコンテンツ視聴体験を得るための適切な設定を決定するために、さらに解析する必要があることもある。全てのパラメータの全範囲および／またはその他のいくつかの最適パラメータ設定を「望ましいパラメータ」とする、デフォルトの「最良の体験」を使用することもできる。次いで、ステップ３０８で、パラメータは、検出された範囲および／または状態条件の範囲内で自動的に調節される。
【００２３】
望ましいパラメータと、検出されたまたは許容可能な調節値とを比較することができる。その後、既に検出されている情報に適合するように望ましいパラメータを調節する。これにより、ユーザが介在することなく、再生装置が設定した制限の範囲内で、最良のコンテンツ視聴体験が可能になる。次いで、ステップ３１０で所望の自動調節が検出された範囲外および／または必要な状態変化の範囲外にある場合には、パラメータ調節が提案され、ステップ３１２でこのフローは終了する。ユーザにフィードバックを提供することにより、より良好な視聴体験を得ることができる。フィードバックまたは提案は、再生装置自体および／または情報をユーザに配信するために利用可能なその他の装置を介して（例えばインターネットを介して、手持ち型モバイル装置を介して、リモート・コントロールの画面上で、など）視覚的且つ／あるいは聴覚的に行うことができる。例えば、提案は、「音量を上げてください」というような漠然としたものから、「黒レベルを９上げてください」というような非常に具体的なものまで、様々な提案とすることができる。従って、ユーザが自分のディスプレイ上でこれらのフレーズを見ることが可能であり、且つ／または視聴体験に関連する音声再生装置によってこれらのフレーズをアナウンスされることが可能である。音声による提案および視覚的な提案の両方を組み合わせて行うこともできる。
【００２４】
図４を参照すると、一実施形態の１つの態様による自動的にコンテンツを較正する方法４００の別のフロー図が示してある。一例では、遠隔制御装置と連動したセット・トップ・ボックスなどの提示装置において、以下の方法を使用することができる。提示装置と遠隔制御装置の間の通信は、例えばＺｉｇｂｅｅ（登録商標）  ＲＦ（無線周波数）接続など、提示装置との間でのハンドシェーキングおよびデータの転送を可能にする双方向通信とすることができる。１つのシナリオでは、較正シーケンスが開始され、以下の方法４００が実施されるときには遠隔制御装置がディスプレイの近傍に保たれる。これにより、例えば提示装置がコンテンツ出力信号を調節するために使用することができる検出されたパラメータを取得することが可能になる。いくつかの例では、以下の方法４００の開始時にフォーカス・チェックを実行して、確実に遠隔制御装置がテストを適切に実行できる近さにあるようにすることができる。次いで、指示（聴覚的な指示および／または視覚的な指示）を使用して、遠隔制御装置のディスプレイからの近さを調節するようにユーザに通知することができる（例えば「装置を画面に近づけてください」または「装置を画面から離してください」など）。
【００２５】
方法４００は、ステップ４０２で開始し、ステップ４０４で最大輝度レベル信号をディスプレイに出力する。最大輝度レベル信号を送信するが、ディスプレイ装置は、全輝度を表示することができないこともある。輝度レベルは、「白レベル」としても知られている。次いで、ステップ４０６で変化が検出されるまで輝度を低下させる。ここで検出されたレベルが、当該ディスプレイの最大白レベルとして使用され、これによって出力信号レベルを白（輝度）レベルがクリッピングされる範囲の外に設定することが可能となり、また、これを使用して所要の輝度出力レベルを較正することができる。次いで、ステップ４０８で最大黒レベル信号をディスプレイに出力する。黒レベルは、「コントラスト」としても知られ、ディスプレイの暗さを調節するために使用される。次いで、ステップ４１０で変化が検出されるまで黒レベルを上げる。ここで検出されたレベルが、当該ディスプレイの最大黒レベルとして使用され、これによって出力信号レベルを黒レベルがクリッピングされる範囲の外に設定することが可能となり、また、これを使用して、ディスプレイのコントラスト設定を較正することもできる。
【００２６】
次いで、ステップ４１２で同様のプロセスを使用して、赤／緑／青（ＲＧＢ）の各色の最大レベルを検出する。すなわち、最大レベル、例えば最大緑レベル信号をディスプレイに送信し、変化が検出されるまで低下させる。次いで、ステップ４１４で同様のプロセスを使用して、赤／緑／青（ＲＧＢ）の各色の最低レベルを検出する。すなわち、最低レベル、例えば最低緑レベル信号をディスプレイに送信し、変化が検出されるまで上昇させる。次いで、ステップ４１６で約１０％刻みでＲＧＢを測定する。これで、提示装置は、当該ディスプレイの検出された最低信号レベルと検出された最大信号レベルの間で、赤、緑および青の約１０％の変化を測定することができる。その他の刻み（例えば１％、２５％など）を使用することもできることは、当業者なら理解できるであろう。刻み（％）が小さくなるほど、解像度は高くなるが、テストを完了するのに要する時間が長くなることは明らかである。同様に、刻み（％）をさらに大きくすれば、さらに短時間でテストを行うことができるが、解像度は低くなる。これらの検出された信号レベルを使用して、ディスプレイのガンマ、すなわち出力レベルを線形化するために使用される非線形曲線を計算する。
【００２７】
次いで、ステップ４１８でシャープネスの検出のために、約５０％のグレー・ライン信号を出力する。一様な（ｓｏｌｉｄ）約５０％のグレー・ライン信号は、通常は、白色の背景上に表示される。ディスプレイのコンテンツ信号の出力経路が鮮鋭化フィルタを有していない場合には、約５０％のグレー・ライン信号だけが検出される。ディスプレイのコンテンツ信号の出力経路が鮮鋭化フィルタを有している場合には、白色とグレーの間に暗い線が検出される。この検出は、鮮鋭化フィルタが提示装置とディスプレイの両方で使用されないようことを確実にするために使用される。映像信号に対して鮮鋭化処理を２度行うとアーティファクトが生じる。例えば、鮮鋭化処理では、通常、「リング」が生じる。グレー・ラインが暗くなり、その両側のピクセル幅の線上の白色は明るくなり、知覚されるシャープネスが高くなる。鮮鋭化処理を２度行うと、リングの数が増え、細部が失われることになる。鮮鋭化処理を２度行うと、同じステップを３本の異なる線全て（元々のグレーの線が１本と、それより明るい白色の線が２本）に対して行うことになり、新たに５本の線になるからである。
【００２８】
次いで、ステップ４２０でインタレースされたコンテンツを出力して、インタレース解除を検出する。通常は、立体の物体のインタレース画像は、ディスプレイ上で右から左に移動される。インタレース信号が細い水平方向の線とともにこれらの線の先端部に沿って表示された場合には、その表示はインタレース解除したコンテンツではない。入力コンテンツがインタレースされているときには、提示装置は、インタレース解除処理を実行するように自身を設定することができる。これにより、提示装置は、２つの異なるインタレース解除フィルタを通してコンテンツを実行することを、回避することができる。この２つの異なるインタレース解除フィルタを通してコンテンツを実行すると、コンテンツを劣化させ、コンテンツをよりソフト（ｓｏｆｔｅｒ）にする。
【００２９】
ステップ４２２で唇の同期を検出するために白がパルス化されているときには、聴覚的信号とともに白パルスおよび黒パルスを出力する。通常は、白パルスの瞬間に、ディスプレイと連動する音声再生装置で、高周波数チャープを再生することができる。これにより、ディスプレイおよびディスプレイと連動する再生システムの唇の同期の較正が容易になる。コンテンツ素材の音声および映像は、異なる装置で再生されることが多い。一般に、音声装置および映像装置は両方とも、音声と映像を同期させるためのユーザがプログラムできる遅延を用いて構築される。この遅延を検出することにより、提示装置は、そのコンテンツ出力信号の遅延を補償することができる。次いで、ステップ４２４で、ピンク・ノイズ信号を出力して可聴周波数範囲を検出し、ステップ４２６でこのフローを終了する。ピンク・ノイズ音声は、ディスプレイと連動する音声再生装置のイコライザーの平坦性を検出するのに役立つ。全ての周波数が一度に再生され、次いで、高速フーリエ変換を使用して、全ての音声周波数に亘って応答の平坦性を検出する。次いで、提示装置は、検出した信号を使用してコンテンツ出力信号を補償して、さらに平坦な音声信号応答を生成する。
【００３０】
視聴体験を向上させるためには、方法４００の上記のステップを必ずしも全て完了する必要はないことは、当業者なら理解できるであろう。これらのステップは、単独で、部分的に、且つ／または一斉に実行することができ、一部のステップは、その性質上、最適な結果を得るために反復することができる。最適な結果を得るために、個々のテストを反復し、且つ／または複数のテストからなる完全なサイクルを反復することができる。一部のステップはその性質上連続して行われるが、他のステップは並行して実行することができることは理解できるであろう。例えば、ディスプレイの画面の映像再生をテストしている間に、ほぼ同時に、音声信号の音声再生をテストすることができる。同様に、映像テストに使用されるテスト・パターンを組み合わせて、複数の映像パラメータを一度にテストすることもできる。
【００３１】
上記およびその他の方法で得られる検出された信号レベルにより、提示装置は、ユーザが自分の再生機器に設定を入力する方法を詳しく知っていなくても、ユーザのコンテンツ視聴体験を改善することができる。また、本明細書に記載した例では、ユーザに対して提案を伝送して、コンテンツ視聴体験をさらに改善するための調節をユーザが行うことを可能にしている。これらのタイプの提案としては、黒レベルの調節、輝度レベルの調節、音声イコライゼーションなどが挙げられるが、これらに限定されるわけではない。こうした調節により、所与のコンテンツにより良好に適した、パラメータのより良好な範囲を見込むことができる。
【００３２】
上記の実施形態のシステムおよび／または方法は、コンテンツの視聴を容易にするコンピュータのコンポーネントでも、コンピュータと関係のないコンポーネントでも、同じように利用することができることを理解されたい。一部のコンテンツ視聴および／またはコンテンツ処理は、完全に、且つ／または部分的に、ソフトウェアで実施することができる。さらに、上記の実施形態のシステムおよび／または方法は、コンピュータ、セット・トップ・ボックスおよび／または携帯型電子装置など（ただしこれらに限定されない）を含む広範なエレクトロニクス関連技術で利用可能であることを、当業者なら理解するであろう。
【００３３】
いくつかの実施形態のいくつかの例について上述した。もちろん、これらの実施形態を説明するために考えられる全てのコンポーネントまたは方法の組合せを記載することは不可能であるが、当業者なら、上記の実施形態のさらに別の数多くの組合せおよび入替えが可能であることを理解できるであろう。従って、本発明は、添付の特許請求の範囲の趣旨および範囲に含まれるこのような全ての改変形態、修正形態、変形形態を包含するものである。さらに、詳細な説明または特許請求の範囲において「含む（ｉｎｃｌｕｄｅｓ）」という用語を用いる限りにおいては、この用語は、「備える（ｃｏｍｐｒｉｓｉｎｇ）」という用語を請求項において移行語（ｔｒａｎｓｉｔｉｏｎａｌ  ｗｏｒｄ）として利用したときの「備える（ｃｏｍｐｒｉｓｉｎｇ）」の解釈と同様、包含的であることを意図している。
【図１】
2013513129.tif 000003
【図２】
2013513129.tif 000004
【図３】
2013513129.tif 000005
【図４】
2013513129.tif 000006
【手続補正書】
【提出日】平成24年11月26日(2012.11.26)
【手続補正１】
【補正対象書類名】特許請求の範囲
【補正対象項目名】全文
【補正方法】変更
【補正の内容】
【特許請求の範囲】
【請求項１】
少なくとも１つのパラメータ・テスト信号をディスプレイに送信するステップと、
前記ディスプレイの近傍の遠隔制御装置から少なくとも１つの検出されたディスプレイ・パラメータを受信するステップと、
前記ディスプレイに送信するコンテンツから少なくとも１つのコンテンツ・パラメータを取り出すステップと、
前記検出されたディスプレイ・パラメータを前記コンテンツ・パラメータと比較するステップと、
前記コンテンツ・パラメータに基づいて、ただし前記検出されたディスプレイ・パラメータに従って、発信コンテンツ信号を調節するステップと、
を含む、方法。
【請求項２】
前記コンテンツ・パラメータが前記検出されたディスプレイ・パラメータと両立しない場合に、少なくとも１つのディスプレイ・パラメータ調節を提案するステップをさらに含む、請求項１に記載の方法。
【請求項３】
提案されたディスプレイ・パラメータ調節を、映像信号および音声信号の少なくとも一方として伝送するステップをさらに含む、請求項２に記載の方法。
【請求項４】
ユーザの要求に応じて前記テスト信号を開始するステップをさらに含む、請求項１または２に記載の方法。
【請求項５】
請求項１に記載の方法を利用する、セット・トップ・ボックス。
【請求項６】
前記遠隔制御装置をディスプレイ画面のごく近傍に位置させるステップをさらに含む、請求項１に記載の方法。
【請求項７】
前記遠隔制御装置との双方向通信を用いてパラメータ情報を伝送するステップをさらに含む、請求項１または２に記載の方法。
【請求項８】
促されたときに一連のテスト信号を自動的に開始するステップをさらに含む、請求項１または２に記載の方法。
【請求項９】
後続のテスト信号を送信する前に、前記遠隔制御装置からのパラメータを検出したことを確認するステップをさらに含む、請求項８に記載の方法。
【請求項１０】
輝度レベル関連信号、黒レベル関連信号、色関連信号、シャープネス関連信号、インタレース解除関連信号、唇同期関連信号、および音声周波数範囲関連信号のうちの少なくとも１つを含むテスト信号を伝送するステップをさらに含む、請求項８に記載の方法。
【請求項１１】
少なくとも１つのテスト信号をディスプレイに送信し、前記ディスプレイの近傍の遠隔制御装置から少なくとも１つの検出されたディスプレイ・パラメータを受信するパラメータ検出器と、
前記ディスプレイに送信するコンテンツから少なくとも１つのコンテンツ・パラメータを取り出すコンテンツ・パラメータ解析器と、
前記検出されたディスプレイ・パラメータと前記コンテンツ・パラメータを比較して、前記コンテンツ・パラメータに基づいて、ただし前記検出されたディスプレイ・パラメータに従って、発信コンテンツ信号を調節するパラメータ比較器と、
を備える、システム。
【請求項１２】
前記パラメータ比較器が、前記コンテンツ・パラメータが前記検出されたディスプレイ・パラメータよりも大きいときに、少なくとも１つの提案されたディスプレイ・パラメータ調節を提供する、請求項１１に記載のシステム。
【請求項１３】
前記提案されたディスプレイ・パラメータ調節が、映像信号および音声信号の少なくとも一方として伝送される、請求項１２に記載のシステム。
【請求項１４】
前記パラメータ検出器が、ユーザの要求に応じて前記テスト信号を開始する、請求項１１または１２に記載のシステム。
【請求項１５】
請求項１１に記載のシステムを利用する、セット・トップ・ボックス。
【請求項１６】
前記遠隔制御装置が、ディスプレイ画面のごく近傍に保たれる、請求項１１に記載のシステム。
【請求項１７】
前記パラメータ検出器が、前記遠隔制御装置と双方向通信を行う、請求項１１または１２に記載のシステム。
【請求項１８】
前記パラメータ検出器が、促されたときに一連のテスト信号を自動的に開始する、請求項１１または１２に記載のシステム。
【請求項１９】
前記パラメータ検出器が、後続のテスト信号を送信する前に、前記遠隔制御装置からのパラメータを検出したことを確認する、請求項１８に記載のシステム。
【請求項２０】
前記テスト信号が、輝度レベル関連信号、黒レベル関連信号、色関連信号、シャープネス関連信号、インタレース解除関連信号、唇同期関連信号、および音声周波数範囲関連信号のうちの少なくとも１つを含む、請求項１８に記載のシステム。
【請求項２１】
少なくとも１つのパラメータ・テスト信号をディスプレイに送信する手段と、
前記ディスプレイの近傍の遠隔制御装置から少なくとも１つの検出されたディスプレイ・パラメータを受信する手段と、
前記ディスプレイに送信するコンテンツから少なくとも１つのコンテンツ・パラメータを取り出す手段と、
前記検出されたディスプレイ・パラメータを前記コンテンツ・パラメータと比較する手段と、
前記コンテンツ・パラメータに基づいて、ただし前記検出されたディスプレイ・パラメータに従って、発信コンテンツ信号を調節する手段と、
を備える、システム。
【請求項２２】
請求項１１に記載のシステムの、コンピュータ実行可能なコンポーネントを記憶した、コンピュータ可読媒体。
【国際調査報告】
2013513129.tif 000007